(57)【要約】ゴム系材料やシリコーン系材料などのプラスチック材料を混合し押出すための装置が開示され、該装置は、閉鎖手段（４）によって閉塞されるのに適した押出ダイ（３）に向かって収束する２つの円錐スクリュー（２）が取り付けられたダンプ押出機本体を備え、前記円錐スクリュー（２）が低圧混合室（１）内および高圧室（２' ）を画成する１対の収束円錐チャネル内に収容され、前記低圧室が押出し方向に関して上流領域に対応しており、前記高圧室（２'）および／または前記低圧室（１）には、それぞれの室（１、２'）の容積の制御された変化を画定するのに適した可動壁を形成するプレッサー本体（５、５'、６）が設けられている。
2021513930.tif 000002
【特許請求の範囲】
【請求項１】
ゴム系材料やシリコーン系材料などのプラスチック材料を混合し押出すための装置であって、閉鎖手段（４）によって閉塞されるのに適した押出ダイ（３）に向かって収束する２つの円錐スクリュー（２）が取り付けられたダンプ押出機本体を備え、前記円錐スクリュー（２）が低圧混合室（１）内および高圧室（２' ）を画成する１対の収束円錐チャネル内に収容され、前記低圧室が押出し方向に関して上流領域に対応している、装置において、
前記高圧室（２'）および／または前記低圧室（１）には、それぞれの室（１、２ '）の容積の制御された変化を画定するのに適した可動壁を形成するプレッサー本体（５、５'、６）が設けられている、
ことを特徴とする装置。
【請求項２】
少なくとも前記高圧室（２’）が、位置が制御されるプレッサー本体（６）を備えている、請求項１に記載の装置。
【請求項３】
前記低圧室（１）の前記プレッサー本体（５、５’）が、プラスチック材料投入開口（１ａ）を閉塞するように配置されている、請求項１に記載の装置。
【請求項４】
前記プレッサー本体（５、６）が摺動可能に取り付けられている、請求項１〜３のいずれか一項に記載の装置。
【請求項５】
前記プレッサー本体（５、６）が、制御されたアクチュエータの作用の下で、上昇位置と下降位置との間で移動可能である、請求項１〜４のいずれか一項に記載の装置。
【請求項６】
前記アクチュエータが、前記プレッサー（５、６）の定位置を決定する、請求項５に記載の装置。
【請求項７】
前記プレッサー（６）が、２つの互いに交わる円錐表面部分として形成された可動壁を有する、請求項１〜６のいずれか一項に記載の装置。
【請求項８】
前記プレッサー（５、５ '、６）は、少なくとも混合工程中に所定の位置に変位され、前記閉鎖手段（４）が、プラスチック材料が前記押出ダイを通過するのを阻止する、請求項１〜７のいずれか一項に記載の装置。
イオンダイ（３）。
【請求項９】
前記閉鎖手段（４）は、停止されて前記ダイ（３）の出口を閉塞する抽出ギアポンプの形態である、請求項８に記載の装置。
【発明の詳細な説明】
【技術分野】
【０００１】
本発明は、ゴム、シリコーン、プラスチックおよび熱可塑性材料、または他の材料のための混合押出機に関し、より詳細には、混合室を一時的に調整するための手段を備えた混合押出機に関する。
【背景技術】
【０００２】
合成材料、特にゴム、エラストマー、プラスチックおよび/または熱可塑性材料、またはシリコーンなどの良好な弾性を有する材料のためのいくつかのタイプのスクリュー押出機では、押出スクリューへの供給は上部に開口したローディングホッパーによって行われることがよく知られている。
【０００３】
特に効果的であることが証明されている市販の押出機は、本出願人名義のＷＯ２００５／０３９８４７号に記載されたものであり、参考として本明細書に組み込まれ、ツインスクリューダンプ押出機型の押出機に設けられている。
【０００４】
より正確には、このような従来の機械を示す図１の部分断面図を参照すると、このような従来技術の機械では、混合室１が材料を押出ダイ３に向かって押し出す１対の押出円錐スクリュー２を収容し、押出ダイ３はめくらフランジまたは閉鎖カバー４によって閉鎖することができる。混合室１には、フィードホッパー（図示せず）に開口した入口１ａが設けられている。閉鎖カバー４は押出ダイ３を塞ぎ、材料を強制的に混合室１内に再循環させて、２つの円錐形スクリューによる混合を引き起こす。材料は、実際には前方に、つまり押出ダイ3に向かって、１対の逆回転スクリューによって押し出され、ダイがカバー４によって塞がれたときに強制的に戻される。特定の用途では、２つのスクリューの回転は混合の効果を高めるために、一時的に逆転させることもできる。
【０００５】
カバー４は、所望されるまで、混合工程中押出ダイ３を閉塞状態に保ち、その後開くか、または容易に取り外して、押出し材料を混合の終わりに流出させることができる。
【０００６】
ダンプ押出機の押出ダイ３がカバー４で閉じられると、ホッパーから導入された材料は、混合室１内で強制的に再循環させられ、均一に混合される。
【０００７】
特に、動作中、めくらフランジ４は閉鎖位置にあり、混合すべき材料、例えば、既に別の機械で事前混合された混合物、またはゴム、充填剤、促進剤などのバルク材料が、フィードホッパーに取り込まれ、混合室１内に送り込まれるとともに、モータが円錐スクリューを逆回転状態に維持し、混合すべき材料をダイの方へ押し進める。しかしながら、めくらフランジ４が混合室１からの混合物の流出を許さず、混合物を混合室へと押し戻し再循環させる。したがって、低い圧力の材料供給領域と、めくらフランジ４の近くの高い圧力の「ダクト」領域との間に増大した圧力勾配が得られる。変化する圧力領域間における種々の基本成分の再循環によって、混合物の迅速かつ効果的な混合が可能となる。
【０００８】
2つの逆回転する円錐スクリューは、材料が供給される大きな室1内に部分的に収容されるとともに、収束して交わる円錐チャネル内に部分的に収容される。スクリューのスレッドの周囲プロファイルはチャネル表面に隣接して延びている。したがって、材料はスクリューの羽根形状に従って次第に狭くなる容積部に押し出され、圧力が増加する。材料の再循環を達成するために（カバー4が閉じているとき）、少なくとも円錐チャネルの最先端部において、スクリューベーンが周囲壁からある程度離れるように、周囲壁に拡大部が設けられる。通常、拡大部は収容チャネルの上部に設けられる。押出スクリューを収容するためのチャネルのこの拡大部の存在のおかげで、カバーが閉じられたとき、材料は後方に循環することができ、混合室1の低圧領域に戻り、その結果、効果的な混合が行われる。
【０００９】
この押出機は完全に機能するが、出願人は改善の余地があることに気付いた。実際、混合される材料は、局所的な圧力に基づいて混合室１内に自由に配分され、これにより、混合の停滞または遅延を生じ、場合によっては、材料の温度と圧力に過度の上昇を生じる可能性がある。したがって、混合工程中のプロセスをよりよく制御することが望ましいであろう。
【００１０】
従来技術では、押出機のいくつかの特異な構成がすでに提案されており、それらは可動要素を使用して、少なくとも押出機スクリューへの材料の投入を制御している。例えば、ＤＥ１０２００７０３３３５５は、押出機の入口ホッパー内で作動する材料スラストプレートを備えた押出機を開示している。対照的に、ＵＳ２０１６ ／ ０３６１６９７はミキサーに関し、このミキサーでは、材料混合室を開閉する取り外し可能な閉鎖要素が設けられている。しかしながら、これらの従来技術のシステムのいずれも、プロセス中に、混合される材料の圧力および温度条件を制御することができず、混合条件および押出条件の両方に適応することができない。
【発明の開示】
【発明が解決しようとする課題】
【００１１】
したがって、本発明の根本的な課題は、上記の欠点を克服し、処理中の材料の混合および温度/圧力並びに混合時間のより優れた制御を可能にする、上記のゴム系またはシリコーン系材料を押出し混合する機械を供給することである。
【００１２】
この目的は、添付の特許請求の範囲の必須項で特定される特徴によって達成される。
【００１３】
特に、第１の態様によれば、プラスチック材料、例えばゴム系およびシリコーン系の材料を混合し押出すための装置が提供され、該装置は、閉鎖手段によって閉塞されるのに適した押出ダイに向かって収束する２つの円錐スクリューが取り付けられたダンプ押出機本体を備え、前記円錐スクリューが低圧混合室内および高圧室を画成する１対の収束円錐チャネル内に収容され、前記低圧室が押出し方向に関して上流領域に対応している、装置であり、
前記高圧室および／または前記低圧室には、それぞれの室の容積の制御された変化を画定するのに適した可動壁を形成するプレッサー本体が設けられている、ことを特徴とする。
【００１４】
好ましい態様によれば、少なくとも前記高圧室に、位置が制御されるプレッサー本体が設けられている。
【００１５】
好ましい態様によれば、前記低圧室の前記プレッサー本体は、前記ダンプ押出機本体の入口ホッパーなどのプラスチック材料投入開口部を閉塞するように配置されている。
【００１６】
典型的には、前記プレッサー本体は、摺動可能に取り付けられるが、１つ以上の回転角度を有するように取り付けることもできる。前記プレッサー本体は、好ましくは制御されたアクチュエータの作用の下で、上昇（またはホーム）位置と下降（または動作）位置との間で移動可能である。変形例によれば、前記アクチュエータは、混合中に前記プレッサーの定位置を決定する。
【００１７】
好ましい態様によれば、前記プレッサー本体は前記２つのスクリューの羽根の輪郭に適合して追従するように、２つの互いに交わる円錐表面部分として形成された可動壁を有する。
【００１８】
前記プレッサーは、少なくとも混合工程中に所定の位置に変位され、前記閉鎖手段が、プラスチック材料が前記押出ダイを通過するのを阻止することが理解される。
【００１９】
前記閉鎖手段は、停止されて前記ダイの出口を閉塞する抽出ギアポンプの形態にしてもよい。
【００２０】
本発明のさらなる特徴および利点は、非限定的な例として単に与えられ、添付の図面に示されている、いくつかの好ましい実施形態の以下の詳細な説明からより明らかになる。
【図面の簡単な説明】
【００２１】
【図１】従来の押出機／混合機システムの部分側面および部分断面図である。
【図２Ａ】図１の単一混合室の細部の概略拡大図であるが、本発明の第１の実施形態による押出機システムに関するものである。
【図２Ｂ】図２Ａと同様の図であるが、第１の実施形態の変形に関するものである。
【図３Ａ】図２Ａと同様の図であるが、本発明の第２の好ましい実施形態に関するものである。
【図３Ｂ】図３Ａの線ＩＩＩ-ＩＩＩに沿った断面図である。
【図４Ａ】再循環室の拡大ステップにおける図３Ａと同様の図である。
【図４Ｂ】図４ＡのＩＶ-ＩＶ線に沿った断面図である。
【図５】図２Ａと同様の図であるが、第３の実施形態に関するものである。
【発明を実施するための形態】
【００２２】
押出混合機は、図１に示す基本要素からなり、参考文献として本明細書に組み込まれたＷＯ２００５／０３９８４７を参照して導入部で既に説明されている。
【００２３】
特に、「ダンプ押出機」は、互いに噛み合うスパイラル羽根と押出ダイ3に向かって収束する軸を備えた1対の円錐押出スクリュー2を収容する混合室1を画定するマシン本体を備えている。
【００２４】
押出ダイ３は、取り外し可能なカバーなどの適切な閉鎖手段４（図に概略的に示されている）によって、または単に停止されてダイの出口を塞ぐ抽出ギアポンプによって、閉鎖してもよい。
【００２５】
混合室１は上部入口１ａを有し、そこからゴム系またはシリコーン系の材料などの処理すべき材料が導入される。
【００２６】
室１の前部において、押出ダイ３の近くで、一対の円錐スクリュー２は収束円錐チャネル内に、内壁がほぼ円錐スクリューの羽根縁に接触する状態で収容される。したがって、このような円錐チャネルの断面形状は、2つの互いに交わる円の形をしている。そのような断面形状の少なくとも１つの領域において、チャネルの内壁は拡大部を有し、したがって、円錐スクリュー２の羽根から引き離され、材料再循環室を画定する。典型的には、そのような拡大部は、円錐スクリュー２の上部に設けられる（図４Ｂの領域２’を参照）。
【００２７】
ここで図２Ａおよび図２Ｂを参照すると、本発明の第１の実施形態によれば、混合室１の入口１ａに、以下でプレッサー（押さえ）と呼ばれる閉塞体５が設けられ、この閉塞体５は昇降可能に取り付けられている。
【００２８】
特に、第１の変形例によれば、プレッサー５は、（図２Ａのように）上昇位置と室１内の材料と接触する位置との間で直線的にスライド可能に取り付けられ、本例では、プレッサー５は、入口１ａを閉塞する本質的にピストンと同様に構成し、一対のスクリュー２が横たわる平面に実質的に垂直な軸に実質的に沿って入口１ａ内を移動可能にして、室１を可変的に閉じるための要素とする。
【００２９】
第２の変形例によれば、（図２Ｂのように）上向きに回転した位置と室内の材料と接触する下向きに回転した位置との間でプレッサー５’がヒンジ５ａを中心に枢動するように取り付けられる。
【００３０】
プレッサー５または５'は、入口１ａに対して所定のクリアランスで取り付けられるため、室１への入口をシールする必要はなく、室内で混合される材料の上に置くことで、局所的に、室1の低圧領域にて、圧力を材料自体に与えることが意図されている。言い換えると、プレッサー５または５’は、制御された方法で材料の圧力および温度を望みどおりに制御できるように、制御された方法で室１の容積を減少させることが意図されている。
【００３１】
プレッサー５による局所的な圧力作用は、一対の円錐スクリューにより混合されている材料に有利な効果を及ぼす。特に、高圧領域から低圧領域に戻る途中の材料は、プレッサーによって円錐スクリューの羽根の内側に保持され、混合効果が向上する。
【００３２】
室１のこの低圧領域の圧力は、材料の還流量のよりよい制御を可能にし、材料の均質化効果を促進および加速する。
【００３３】
この目的のために、プレッサーは、上記のように、単に、同じ圧力（重力の影響下での自重による）が常に材料に加えられるように取り付けられた可動重量体の形で作るか、または油圧、電気または空気圧ジャッキなどの制御アクチュエータ（図示せず）の作用による可動ピストンの形で作ることができる。
【００３４】
第２の例では、アクチュエータを、一定の力を及ぼすように制御して、重量効果と同様の効果を生み出すか、ピストンを固定位置に維持するように制御して、所望の容積を実際に設定し、圧力を周期的に変化させることができる。さらに、プレッサー５、５’の位置および押圧力は、混合および押し出しサイクル中に変化および設定することができる。
【００３５】
プレッサー５は、必ずしも円形の断面形状にする必要はなく、他の形状、例えば、正方形、長方形、三角形、または円形の断面形状にしてもよい。もちろん、入口１ａの輪郭に適合する形状でなければならない。
【００３６】
図２Ａおよび図２Ｂの第１の実施形態の２つの変形例では、プレッサー５、５ ’は、室１のいわゆる低圧領域、すなわち投入口１ａのすぐ隣の領域に適用される。
【００３７】
対照的に、好ましい実施形態（図３Ａ〜図４Ｂ）では、プレッサー６は、押出室１の高圧領域、すなわち、２つの円錐スクリューがそれぞれの円錐チャネル内に収容される領域で動作する。高圧室内の圧力は、通常５〜２００ｂａｒの範囲である。この場合、ホッパーの入口１ａは、一定の容積を規定する単純なカバーによって開閉することができ、混合される材料への圧力制御は、プレッサー６によってのみ与えられる。
【００３８】
特に、図３Ｂと図４Ｂの比較によりよく表されているように、この好ましい実施形態では、プレッサー６は、高圧混合室２’を画定する円錐チャネルの拡大部の可動壁を構成する。したがって、プレッサー６を変位させることにより、高圧混合室２ ’の容積の変化を制御することができ、それにより、圧力の変化を、そして間接的に、処理される材料の温度の変化を決定することができる。
【００３９】
この場合、プレッサー6は円錐チャネルの壁がスクリューの羽根縁に隣接する高圧領域で動作するため、プレッサー6は、実際にそれぞれの円錐チャネルの一部を構成する2つの互いに交わる円錐表面として成形された可動壁を画定する（図４Ｂに明確に示されている）。
【００４０】
高圧領域の大きさは低圧領域の大きさよりもはるかに小さいので、プレッサー6はアクチュエータによって制御するのが確かに好ましく、アクチュエータは、小さなプレッサーに作用している間、材料に十分な全体圧力を加えることができる。さらに、この領域、つまり高圧混合室の体積の変化は、高率の変化を引き起こし、材料の挙動に大きな影響を与えるため、非常に効果的であることを証明している。
【００４１】
第３の実施形態によれば、低圧領域にプレッサー５、５ ’と高圧領域に制御プレッサー６の両方が設けられる。制御動作は、最大の介入柔軟性が得られるように、両方のプレッサーで実行するのが好ましい。
【００４２】
理解できるように、高圧室２'および/または低圧室１の容積を変化させる可動式プレッサー５、５'および/または6を使用することにより、追加の制御要素を配置することが可能であり、これにより、混合度と処理速度/性能を最適に調整することができる。
【００４３】
また、押し出し工程の間、すなわち、閉鎖カバー４が開かれ、材料がダイ３により押し出されるときでも、プレッサーの介入を制御するのが便利であることも分かった。したがって、この工程において、材料の流出圧力と混合室の向上した排出をより適切に調整することができ、材料への空気の混入を、もしあったとしても、回避することができる。
【００４４】
しかしながら、本発明は上述の特定の構成に限定されると考えられるべきではなく、それらは本発明のいくつかの例示的な実施形態のみを表すものであり、様々な変更が以下の特許請求の範囲によって特定される発明の範囲内において当業者に想到可能である。
【図１】
2021513930.tif 000003
【図２Ａ】
2021513930.tif 000004
【図２Ｂ】
2021513930.tif 000005
【図３Ａ】
2021513930.tif 000006
【図３Ｂ】
2021513930.tif 000007
【図４Ａ】
2021513930.tif 000008
【図４Ｂ】
2021513930.tif 000009
【図５】
2021513930.tif 000010
【国際調査報告】
2021513930.tif 000011
2021513930.tif 000012
2021513930.tif 000013
2021513930.tif 000014